(57)【要約】【課題】給水ラインを形成する給水管や電磁弁の腐食を防ぐことができ、空調空気を十分に加湿することができる給水および供給機構を提供する。【解決手段】給水および供給機構１０では、加湿水を加湿エレメント１３の上面に向かって給水する複数の第１ノズルを有してエレメント１３の上面の上方に位置する第１給水ヘッダーと、機能水をエレメント１３の上面に向かって供給する複数の第２ノズルを有してエレメントの上面の上方に位置する第２供給ヘッダーとを備え、加湿水が加湿水給水ライン１５から第１給水ヘッダーに給水され、機能水が加湿水給水ライン１５とは別の機能水供給ライン１６，１７から第２供給ヘッダーに供給される。【選択図】図１
2014119123.tif 000002
【特許請求の範囲】
【請求項１】
空調空気の加湿に利用する気化式加湿エレメントに加湿水を給水するとともに、必要に応じて前記気化式加湿エレメントを殺菌する機能水を該エレメントに供給する給水および供給機構において、
前記加湿エレメントが、所定の面積を有して加湿前の空気が通過する前面と、所定の面積を有して加湿後の空気が通過する後面と、所定の面積を有して前記加湿水および前記機能水のいずれかが給水または供給される上面と、所定の面積を有して前記加湿水および前記機能水のいずれかの余剰分が排水される下面と、所定の面積を有して前記上下面の間に延びる両側面とを有する６面立体構造物であり、
前記加湿エレメントの上面が、前記前面の側に位置して前記空気の通過方向と交差する交差方向へ延びる第１端縁と、前記後面の側に位置して前記交差方向へ延びる第２端縁と、一方の前記側面の側に位置して前記通過方向へ延びる第１側縁と、他方の前記側面の側に位置して前記通過方向へ延びる第２側縁とを有し、
前記給水および供給機構が、前記加湿水を前記加湿エレメントの上面に向かって給水する複数の第１ノズルを有して該上面の上方に位置し、前記第１側縁から前記第２側縁に向かって直状に延びる少なくとも１本の第１給水ヘッダーと、前記機能水を前記加湿エレメントの上面に向かって給水する複数の第２ノズルを有して該上面の上方に位置し、前記第１側縁から前記第２側縁に向かって直状に延びる少なくとも１本の第２給水ヘッダーとを備え、前記給水および供給機構では、前記加湿水が第１給水ラインから前記第１給水ヘッダーに供給され、前記機能水が前記第１給水ラインとは別の第２供給ラインから前記第２供給ヘッダーに供給されることを特徴とする給水および供給機構。
【請求項２】
前記給水および供給機構では、前記加湿エレメントの上面を、該上面の第１および第２側縁を前記通過方向に二分して前記交差方向へ延びる仮想中心線と前記第１端縁との間に延びる第１上面と、前記仮想中心線と前記第２端縁との間に延びる第２上面とに区分したときに、前記第１給水ヘッダーが前記仮想中心線と平行しつつ該中心線近傍における前記第１上面と前記第２上面とのいずれか一方に配置され、前記第２供給ヘッダーが前記仮想中心線と平行しつつ該中心線近傍における前記第１上面と前記第２上面とのいずれか他方に配置されている請求項１に記載の給水および供給機構。
【請求項３】
前記給水および供給機構では、前記第１給水ヘッダーのそれら第１ノズルが前記交差方向へ一列に並ぶとともに、それら第１ノズルの中心軸が前記仮想中心線に向かって所定角度で傾斜し、前記第２供給ヘッダーのそれら第２ノズルが前記交差方向へ一列に並ぶとともに、それら第２ノズルの中心軸が前記仮想中心線に向かって所定角度で傾斜している請求項２に記載の給水および供給機構。
【請求項４】
それら第１ノズルおよびそれら第２ノズルの中心軸の前記仮想中心線に向かって傾斜する角度が、前記加湿エレメントの上下面の間に延びる仮想垂直線に対して２０〜４０°の範囲にある請求項３に記載の給水および供給機構。
【請求項５】
前記給水および供給機構では、前記加湿エレメントの上面を、該上面の第１および第２側縁を前記通過方向に二分して前記交差方向へ延びる仮想中心線と前記第１端縁との間に延びる第１上面と、前記仮想中心線と前記第２端縁との間に延びる第２上面とに区分したときに、前記第１給水ヘッダーと前記第２供給ヘッダーとが前記第１上面の側に配置されている請求項１に記載の給水および供給機構。
【請求項６】
前記給水および供給機構では、前記第１給水ヘッダーのそれら第１ノズルと前記第２供給ヘッダーのそれら第２ノズルとが前記交差方向へ一列に並び、前記第１給水ヘッダーと前記第２供給ヘッダーとのうちの前記仮想中心線に近い位置にあるヘッダーのそれらノズルの中心軸が前記上面の第１端縁に向かって所定角度で傾斜している請求項５に記載の給水および供給機構。
【請求項７】
それらノズルの中心軸の前記第１端縁に向かって傾斜する角度が、前記加湿エレメントの上下面の間に延びる仮想垂直線に対して２０〜４０°の範囲にある請求項６に記載の給水および供給機構。
【請求項８】
前記給水および供給機構では、前記加湿エレメントの上面を、該上面の第１および第２側縁を前記通過方向に二分して前記交差方向へ延びる仮想中心線と前記第１端縁との間に延びる第１上面と、前記仮想中心線と前記第２端縁との間に延びる第２上面とに区分し、前記第１上面を、該第１上面の第１および第２側縁を前記通過方向に二分して前記交差方向へ延びる第１仮想二分線と前記第１端縁との間に延びる前方第１上面と、前記第１仮想二分線と前記仮想中心線との間に延びる後方第１上面とに区分するとともに、前記第２上面を、該第２上面の第１および第２側縁を前記通過方向に二分して前記交差方向へ延びる第２仮想二分線と前記仮想中心線との間に延びる前方第２上面と、前記第２仮想二分線と前記第２端縁との間に延びる後方第２上面とに区分したときに、前記第１給水ヘッダーが、前記前方第１および第２上面または前記後方第１および第２上面のいずれか一方に配置され、前記第２供給ヘッダーが、前記前方第１および第２上面または前記後方第１および第２上面のいずれか他方に配置されている請求項１に記載の給水および供給機構。
【請求項９】
前記給水および供給機構では、前記第１給水ヘッダーのそれら第１ノズルと前記第２供給ヘッダーのそれら第２ノズルとが前記交差方向へ一列に並び、前記第１給水ヘッダーが前記前方第１上面または前記後方第１上面に位置したときに、該第１給水ヘッダーのそれら第１ノズルの中心軸が前記第１仮想二分線に向かって所定角度で傾斜し、前記第１給水ヘッダーが前記前方第２上面または前記後方第２上面に位置したときに、該第１給水ヘッダーのそれら第１ノズルの中心軸が前記第２仮想二分線に向かって所定角度で傾斜し、前記第２供給ヘッダーが前記前方第１上面または前記後方第１上面に位置したときに、該第２供給ヘッダーのそれら第２ノズルの中心軸が前記第１仮想二分線に向かって所定角度で傾斜し、前記第２供給ヘッダーが前記前方第２上面または前記後方第２上面に位置したときに、該第２供給ヘッダーのそれら第２ノズルの中心軸が前記第２仮想二分線に向かって所定角度で傾斜している請求項８に記載の給水および供給機構。
【請求項１０】
それらノズルの中心軸の前記第１仮想二分線または前記第２仮想二分線に向かって傾斜する角度が、前記加湿エレメントの上下面の間に延びる仮想垂直線に対して２０〜４０°の範囲にある請求項９に記載の給水および供給機構。
【請求項１１】
前記加湿エレメントが、複数の繊維から作られ、前記機能水が、電解水、弱酸性水、塩素系水溶液、オゾン水、過酸化水素水の中から選択された少なくとも１種類である請求項１ないし請求項１０いずれかに記載の給水および供給機構。
【発明の詳細な説明】
【技術分野】
【０００１】
本発明は、空調空気の加湿に利用する気化式加湿エレメントに加湿水を給水するとともに、必要に応じてエレメントを殺菌する機能水をエレメントに給水する給水および供給機構に関する。
【背景技術】
【０００２】
空調機内における空気通路の一部に空気通路の断面全体をほぼ覆うように設けられた除菌脱臭エレメントと、除菌脱臭エレメントに対して殺菌水を供給することによって除菌脱臭エレメントのほぼ全面に水膜を形成する殺菌水生成装置とを備え、除菌脱臭エレメントに形成された水膜に対して空調機内に導入された空気を接触させるように構成し、空調機によって循環する空気中に存在する微生物の除菌および臭気の除去を行う除菌脱臭空調システムがある（特許文献１参照）。殺菌水としては、塩化物を添加した水溶液を電気分解して生成される次亜塩素酸を含む電解機能水であって、ｐＨ３以下の強酸性水やｐＨ５〜７の電解中性水、ｐＨ８〜９の電解次亜水の中から選択された電解機能水、次亜塩素酸（ＨＯＣｌ）を主成分とし、ｐＨ５〜７の弱酸性で有効塩素濃度が数ｐｐｍ〜数１００ｐｐｍの弱酸性水、塩化物がとけ込んだ水溶液を有効塩素濃度が数ｐｐｍ〜数１００ｐｐｍ程度に希釈して殺菌能力を保持した塩素系水溶液、オゾンを水に溶け込ませたオゾン水が使用される。
【先行技術文献】
【特許文献】
【０００３】
【特許文献１】特開２００３−２２７６２２号公報
【発明の概要】
【発明が解決しようとする課題】
【０００４】
前記特許文献１に開示の除菌脱臭空調システムは、殺菌水生成装置によって生成された殺菌水を常時除菌脱臭エレメントに供給し、その殺菌水を利用して空気中の微生物や空気中の臭気を除去するとともに、空調機の内部を殺菌する。しかし、除菌脱臭空調システムは、殺菌水を利用した殺菌運転のみが行われ、殺菌水の他に加湿水を利用して空調空気を加湿する加湿運転を行うことはない。したがって、通常時において空調空気を加湿する加湿運転を行いつつ、空調機の加湿機構の殺菌が必要な場合のみに殺菌水を利用する殺菌運転を行うことができず、殺菌水を含まない加湿された清潔な空調空気を空調室に供給することができない。なお、加湿運転と殺菌運転との両者を行う場合において、加湿水と殺菌水とを単一の給水ヘッダーからエレメントに給水すると、その給水ヘッダーに接続された給水ラインを形成する配管や電磁弁等が殺菌水によって腐食する場合がある。配管や電磁弁等が腐食すると、配管における加湿水の漏水や電磁弁の動作障害等の問題が生じ、加湿運転時に必要な量の加湿水をエレメントに給水することができない場合があり、空調空気を十分に加湿することができない場合がある。
【０００５】
本発明の目的は、加湿水を利用した加湿運転と機能水を利用した殺菌運転とを行うことができ、給水ラインを形成する配管や電磁弁等の腐食を防ぐことができる給水および供給機構を提供することにある。本発明の他の目的は、必要な量の加湿水を気化式加湿エレメントに給水することができ、空調空気を十分に加湿することができる給水および供給機構を提供することにある。
【課題を解決するための手段】
【０００６】
前記課題を解決するための本発明の前提は、空調空気の加湿に利用する気化式加湿エレメントに加湿水を給水するとともに、必要に応じて加湿エレメントを殺菌する機能水をそのエレメントに供給する給水および供給機構である。
【０００７】
前記前提における本発明の特徴は、加湿エレメントが、所定の面積を有して加湿前の空気が通過する前面と、所定の面積を有して加湿後の空気が通過する後面と、所定の面積を有して加湿水および機能水のいずれかが給水または供給される上面と、所定の面積を有して加湿水および機能水のいずれかの余剰分が排水される下面と、所定の面積を有して上下面の間に延びる両側面とを有する６面立体構造物であり、加湿エレメントの上面が、前面の側に位置して空気の通過方向と交差する交差方向へ延びる第１端縁と、後面の側に位置して交差方向へ延びる第２端縁と、一方の側面の側に位置して通過方向へ延びる第１側縁と、他方の側面の側に位置して通過方向へ延びる第２側縁とを有し、給水および供給機構が、加湿水を加湿エレメントの上面に向かって給水する複数の第１ノズルを有して上面の上方に位置し、第１側縁から第２側縁に向かって直状に延びる少なくとも１本の第１給水ヘッダーと、機能水を加湿エレメントの上面に向かって給水する複数の第２ノズルを有して上面の上方に位置し、第１側縁から第２側縁に向かって直状に延びる少なくとも１本の第２給水ヘッダーとを備え、給水および供給機構では、加湿水が第１給水ラインから第１給水ヘッダーに供給され、機能水が第１給水ラインとは別の第２供給ラインから第２供給ヘッダーに供給されることにある。
【０００８】
本発明の一例として、給水および供給機構では、加湿エレメントの上面を、上面の第１および第２側縁を通過方向に二分して交差方向へ延びる仮想中心線と第１端縁との間に延びる第１上面と、仮想中心線と第２端縁との間に延びる第２上面とに区分したときに、第１給水ヘッダーが仮想中心線と平行しつつ中心線近傍における第１上面と第２上面とのいずれか一方に配置され、第２供給ヘッダーが仮想中心線と平行しつつ中心線近傍における第１上面と第２上面とのいずれか他方に配置されている。
【０００９】
本発明の他の一例として、給水および供給機構では、第１給水ヘッダーのそれら第１ノズルが交差方向へ一列に並ぶとともに、それら第１ノズルの中心軸が仮想中心線に向かって所定角度で傾斜し、第２供給ヘッダーのそれら第２ノズルが交差方向へ一列に並ぶとともに、それら第２ノズルの中心軸が仮想中心線に向かって所定角度で傾斜している。
【００１０】
本発明の他の一例としては、それら第１ノズルおよびそれら第２ノズルの中心軸の仮想中心線に向かって傾斜する角度が加湿エレメントの上下面の間に延びる仮想垂直線に対して２０〜４０°の範囲にある。
【００１１】
本発明の他の一例として、給水および供給機構では、加湿エレメントの上面を、上面の第１および第２側縁を通過方向に二分して交差方向へ延びる仮想中心線と第１端縁との間に延びる第１上面と、仮想中心線と第２端縁との間に延びる第２上面とに区分したときに、第１給水ヘッダーと第２供給ヘッダーとが第１上面の側に配置されている。
【００１２】
本発明の他の一例として、給水および供給機構では、第１給水ヘッダーのそれら第１ノズルと第２供給ヘッダーのそれら第２ノズルとが交差方向へ一列に並び、第１給水ヘッダーと第２供給ヘッダーとのうちの仮想中心線に近い位置にあるヘッダーのそれらノズルの中心軸が上面の第１端縁に向かって所定角度で傾斜している。
【００１３】
本発明の他の一例としては、それらノズルの中心軸の第１端縁に向かって傾斜する角度が加湿エレメントの上下面の間に延びる仮想垂直線に対して２０〜４０°の範囲にある。
【００１４】
本発明の他の一例として、給水および供給機構では、加湿エレメントの上面を、その上面の第１および第２側縁を通過方向に二分して交差方向へ延びる仮想中心線と第１端縁との間に延びる第１上面と、仮想中心線と第２端縁との間に延びる第２上面とに区分し、第１上面を、第１上面の第１および第２側縁を通過方向に二分して交差方向へ延びる第１仮想二分線と第１端縁との間に延びる前方第１上面と、第１仮想二分線と仮想中心線との間に延びる後方第１上面とに区分するとともに、第２上面を、第２上面の第１および第２側縁を通過方向に二分して交差方向へ延びる第２仮想二分線と仮想中心線との間に延びる前方第２上面と、第２仮想二分線と第２端縁との間に延びる後方第２上面とに区分したときに、第１給水ヘッダーが前方第１および第２上面または後方第１および第２上面のいずれか一方に配置され、第２供給ヘッダーが前方第１および第２上面または後方第１および第２上面のいずれか他方に配置されている。
【００１５】
本発明の他の一例として、給水および供給機構では、第１給水ヘッダーのそれら第１ノズルと第２供給ヘッダーのそれら第２ノズルとが交差方向へ一列に並び、第１給水ヘッダーが前方第１上面または後方第１上面に位置したときに、第１給水ヘッダーのそれら第１ノズルの中心軸が第１仮想二分線に向かって所定角度で傾斜し、第１給水ヘッダーが前方第２上面または後方第２上面に位置したときに、第１給水ヘッダーのそれら第１ノズルの中心軸が第２仮想二分線に向かって所定角度で傾斜し、第２供給ヘッダーが前方第１上面または後方第１上面に位置したときに、第２供給ヘッダーのそれら第２ノズルの中心軸が第１仮想二分線に向かって所定角度で傾斜し、第２供給ヘッダーが前方第２上面または後方第２上面に位置したときに、第２供給ヘッダーのそれら第２ノズルの中心軸が第２仮想二分線に向かって所定角度で傾斜している。
【００１６】
本発明の他の一例としては、それらノズルの中心軸の第１仮想二分線または第２仮想二分線に向かって傾斜する角度が加湿エレメントの上下面の間に延びる仮想垂直線に対して２０〜４０°の範囲にある。
【００１７】
本発明の他の一例としては、加湿エレメントが複数の繊維から作られ、機能水が電解水、弱酸性水、塩素系水溶液、オゾン水、過酸化水素水の中から選択された少なくとも１種類である。
【発明の効果】
【００１８】
本発明にかかる給水および供給機構によれば、それが気化式加湿エレメントの上面の第１側縁から第２側縁に向かって直状に延びる少なくとも１本の第１給水ヘッダーと第１側縁から第２側縁に向かって直状に延びる少なくとも１本の第２供給ヘッダーとを備え、第１給水ヘッダーから給水される加湿水によって加湿運転を行うことができ、第２供給ヘッダーから供給される機能水によって殺菌運転を行うことができるのみならず、加湿水が第１給水ラインから第１給水ヘッダーに供給されるとともに、機能水が第１給水ラインとは別の第２供給ラインから第２供給ヘッダーに供給され、加湿水と機能水とが別々のラインを通るから、加湿水を供給する給水ラインの配管や電磁弁等の機能水による腐食を防ぐことができる。給水および供給機構は、加湿水を供給する給水ラインの配管や電磁弁等が腐食することはないから、配管における加湿水の漏水や電磁弁の動作障害等の問題が生じることはなく、加湿運転時に必要な量の加湿水を気化式加湿エレメントに給水することができ、空調空気を十分に加湿することができる。
【００１９】
気化式加湿エレメントの上面を第１上面と第２上面とに区分したときに、第１給水ヘッダーが仮想中心線と平行しつつ中心線近傍における第１上面と第２上面とのいずれか一方に配置され、第２供給ヘッダーが仮想中心線と平行しつつ中心線近傍における第１上面と第２上面とのいずれか他方に配置されている給水および供給機構は、第１給水ヘッダーと第２供給ヘッダーとが仮想中心線を挟んで中心線近傍の第１および第２上面のいずれかに位置するから、第１給水ヘッダーから給水される加湿水が６面立体構造物である加湿エレメントの中心部から周縁部に向かって拡散し、加湿水を加湿エレメント全域に満遍なく滲入させることができるとともに、第２供給ヘッダーから供給される機能水が加湿エレメントの中心部から周縁部に向かって拡散し、機能水をエレメント全体に満遍なく滲入させることができる。給水および供給機構は、加湿運転時に加湿水が加湿エレメント全域に満遍なく滲入するから、加湿前の空気をエレメントを通すことで確実に加湿することができ、十分に加湿された加湿空気を作ることができる。給水および供給機構は、殺菌運転時に機能水が加湿エレメント全域に満遍なく滲入するから、エレメントに菌が発生（繁殖）したとしても、機能水を利用してエレメント全域を殺菌することができ、エレメントを清潔な状態で使用することができる。
【００２０】
第１給水ヘッダーのそれら第１ノズルが交差方向へ一列に並ぶとともに第１ノズルの中心軸が仮想中心線に向かって所定角度で傾斜し、第２供給ヘッダーのそれら第２ノズルが交差方向へ一列に並ぶとともに第２ノズルの中心軸が仮想中心線に向かって所定角度で傾斜している給水および供給機構は、第１給水ヘッダーが第１および第２上面のいずれか一方に位置するとともに、それら第１ノズルの中心軸が仮想中心線に向かって所定角度で傾斜しているから、それら第１ノズルから給水される加湿水が加湿エレメントの中心部から周縁部に向かって次第に拡散し、加湿水を６面立体構造物である加湿エレメント全域に満遍なく滲入させることができ、加湿運転時に加湿前の空気が加湿エレメントによって確実に加湿され、十分に加湿された加湿空気を作ることができる。給水および供給機構は、第２供給ヘッダーが第１および第２上面のいずれか他方に位置するとともに、それら第２ノズルの中心軸が仮想中心線に向かって所定角度で傾斜しているから、それら第２ノズルから供給される機能水が加湿エレメントの中心部から周縁部に向かって次第に拡散し、機能水を６面立体構造物であるエレメント全域に満遍なく滲入させることができ、機能水を利用してエレメント全域を確実に殺菌することができる。
【００２１】
それら第１ノズルおよびそれら第２ノズルの中心軸の仮想中心線に向かって傾斜する角度が加湿エレメントの上下面の間に延びる仮想垂直線に対して２０〜４０°の範囲にある給水および供給機構は、第１給水ヘッダーが第１および第２上面のいずれか一方に位置するとともに、それら第１ノズルの中心軸の仮想中心線に向かう傾斜角度が仮想垂直線に対して２０〜４０°の範囲にあるから、それら第１ノズルから給水される加湿水が加湿エレメントの中心部から周縁部に向かって次第に拡散し、加湿水を６面立体構造物である加湿エレメント全域に満遍なく滲入させることができ、加湿運転時に加湿前の空気がエレメントによって確実に加湿され、十分に加湿された加湿空気を作ることができる。給水および供給機構は、第２供給ヘッダーが第１および第２上面のいずれか他方に位置するとともに、それら第２ノズルの中心軸の仮想中心線に向かう傾斜角度が仮想垂直線に対して２０〜４０°の範囲にあるから、それら第２ノズルから供給される機能水が加湿エレメントの中心部から周縁部に向かって次第に拡散し、機能水を６面立体構造物であるエレメント全域に満遍なく滲入させることができ、機能水を利用してエレメント全域を確実に殺菌することができる。
【００２２】
気化式加湿エレメントの上面を第１上面と第２上面とに区分したときに、第１給水ヘッダーと第２供給ヘッダーとが第１上面の側に配置されている給水および供給機構は、たとえば、加湿エレメントの前面から後面に向かってエレメントを通流する空気の流量が多い場合、その空気の影響によって加湿水や機能水がエレメントの前面の側から後面の側に向かって押し流され、空気の加湿やエレメントの殺菌に利用されない加湿水や機能水が後面から流出する場合があるが、この給水および供給機構は、第１給水ヘッダーと第２供給ヘッダーとの両者が第１上面の側に位置しているから、加湿エレメントを通流する空気によって加湿水や機能水が前面の側から後面の側に押し流されたとしても、第１上面の側から加湿エレメントに給水された加湿水やエレメントに供給された機能水がその空気を利用して加湿エレメント全域に拡散し、加湿水や機能水の加湿エレメントにおける偏りを防ぐことができ、加湿水や機能水を６面立体構造物である加湿エレメント全域に満遍なく滲入させることができる。
【００２３】
第１給水ヘッダーと第２供給ヘッダーとが第１上面の側に位置し、第１給水ヘッダーと第２供給ヘッダーとのうちの仮想中心線に近い位置にあるヘッダーの交差方向へ一列に並ぶそれらノズルの中心軸が加湿エレメントの上面の第１端縁に向かって所定角度で傾斜している給水および供給機構は、第１給水ヘッダーと第２供給ヘッダーとの両者が第１上面の側に位置し、かつ、仮想中心線に近い位置にあるヘッダーのノズルの中心軸がエレメントの上面の第１端縁に向かって所定角度で傾斜しているから、エレメントを通流する空気によって加湿水や機能水がエレメントの前面の側から後面の側に押し流されたとしても、第１上面の側からエレメントに給水された加湿水やエレメントに供給された機能水がその空気を利用して加湿エレメント全域に拡散し、加湿水や機能水のエレメントにおける偏りを防ぐことができ、加湿水や機能水を６面立体構造物であるエレメント全域に満遍なく滲入させることができる。
【００２４】
それらノズルの中心軸の前記第１端縁に向かって傾斜する角度が加湿エレメントの上面と下面との間に延びる仮想垂直線に対して２０〜４０°の範囲にある給水および供給機構は、第１給水ヘッダーと第２供給ヘッダーとが第１上面の側に位置するとともに、第１給水ヘッダーと第２供給ヘッダーとのうちの仮想中心線に近い位置にあるヘッダーのそれらノズルの中心軸の第１端縁に向かう傾斜角度が仮想垂直線に対して２０〜４０°の範囲にあるから、たとえば、仮想中心線に近い位置にあるヘッダーのノズルが第１ノズルである場合、加湿エレメントを通流する空気によって加湿水がエレメントの前面の側から後面の側に押し流されたとしても、それら第１ノズルから給水される加湿水がエレメントの上面の第１端縁からエレメントの中心部および周縁部に向かって次第に拡散し、加湿水を６面立体構造物であるエレメント全域に満遍なく滲入させることができ、加湿運転時に加湿前の空気がエレメントによって確実に加湿され、十分に加湿された加湿空気を作ることができる。また、仮想中心線に近い位置にあるヘッダーのノズルが第２ノズルである場合、加湿エレメントを通流する空気によって機能水がエレメントの前面の側から後面の側に押し流されたとしても、それら第２ノズルから供給される機能水がエレメントの上面の第１端縁からエレメントの中心部および周縁部に向かって次第に拡散し、機能水を６面立体構造物であるエレメント全域に満遍なく滲入させることができ、機能水を利用してエレメント全域を確実に殺菌することができる。
【００２５】
加湿エレメントの上面を第１上面と第２上面とに区分し、第１上面を前方第１上面と後方第１上面とに区分するとともに、第２上面を前方第２上面と後方第２上面とに区分したときに、第１給水ヘッダーが前方第１および第２上面または後方第１および第２上面のいずれか一方に配置され、第２供給ヘッダーが前方第１および第２上面または後方第１および第２上面のいずれか他方に配置されている給水および供給機構は、たとえば、第１給水ヘッダーが前方第１上面と前方第２上面とに位置し、第２供給ヘッダーが後方第１上面と後方第２上面とに位置したときに、第１給水ヘッダーから給水される加湿水が６面立体構造物である加湿エレメントの前方第１上面および前方第２上面からエレメントの中心部と周縁部とに向かって拡散し、加湿水を加湿エレメント全域に満遍なく滲入させることができるとともに、第２供給ヘッダーから供給される機能水が加湿エレメントの後方第１上面および後方第２上面からエレメントの中心部と周縁部とに向かって拡散し、機能水をエレメント全体に満遍なく滲入させることができる。給水および供給機構は、加湿運転時に加湿水が加湿エレメント全域に満遍なく滲入するから、加湿前の空気をエレメントを通すことで確実に加湿することができ、十分に加湿された加湿空気を作ることができる。給水および供給機構は、殺菌運転時に機能水が加湿エレメント全域に満遍なく滲入するから、エレメントに菌が発生（繁殖）したとしても、機能水を利用してエレメント全域を殺菌することができ、エレメントを清潔な状態で使用することができる。
【００２６】
第１給水ヘッダーのそれら第１ノズルと第２供給ヘッダーのそれら第２ノズルとが交差方向へ一列に並び、第１給水ヘッダーが前方第１上面または後方第１上面に位置したときに、第１給水ヘッダーのそれら第１ノズルの中心軸が第１仮想二分線に向かって所定角度で傾斜し、第１給水ヘッダーが前方第２上面または後方第２上面に位置したときに、第１給水ヘッダーのそれら第１ノズルの中心軸が第２仮想二分線に向かって所定角度で傾斜し、第２供給ヘッダーが前方第１上面または後方第１上面に位置したときに、第２供給ヘッダーのそれら第２ノズルの中心軸が第１仮想二分線に向かって所定角度で傾斜し、第２供給ヘッダーが前方第２上面または後方第２上面に位置したときに、第２供給ヘッダーのそれら第２ノズルの中心軸が第２仮想二分線に向かって所定角度で傾斜している給水および供給機構は、第１給水ヘッダーから給水される加湿水が加湿エレメントに仮想された第１仮想二分線や第２仮想二分線に向かって進入し、それら仮想二分線からエレメントの中心部と周縁部とに向かって拡散し、加湿水を加湿エレメント全域に満遍なく滲入させることができ、加湿運転時に加湿前の空気が加湿エレメントによって確実に加湿され、十分に加湿された加湿空気を作ることができる。給水および供給機構は、第２供給ヘッダーから供給される機能水がエレメントに仮想された第１仮想二分線や第２仮想二分線に向かって進入し、それら仮想二分線からエレメントの中心部と周縁部とに向かって拡散し、機能水をエレメント全体に満遍なく滲入させることができ、機能水を利用してエレメント全域を確実に殺菌することができる。
【００２７】
それらノズルの中心軸の第１仮想二分線または第２仮想二分線に向かって傾斜する角度が加湿エレメントの上下面の間に延びる仮想垂直線に対して２０〜４０°の範囲にある給水および供給機構は、第１給水ヘッダーそれら第１ノズルの仮想二分線に向かう傾斜角度が仮想垂直線に対して２０〜４０°の範囲にあるから、第１ノズルから給水される加湿水がエレメントに仮想された第１仮想二分線や第２仮想二分線に向かって進入し、それら仮想二分線からエレメントの中心部と周縁部とに向かって拡散し、加湿水を加湿エレメント全域に満遍なく滲入させることができ、加湿運転時に加湿前の空気がエレメントによって確実に加湿され、十分に加湿された加湿空気を作ることができる。給水および供給機構は、第２供給ヘッダーそれら第２ノズルの仮想二分線に向かう傾斜角度が仮想垂直線に対して２０〜４０°の範囲にあるから、第２供給ヘッダーから供給される機能水がエレメントに仮想された第１仮想二分線や第２仮想二分線に向かって進入し、それら仮想二分線からエレメントの中心部と周縁部とに向かって拡散し、機能水をエレメント全体に満遍なく滲入させることができ、機能水を利用してエレメント全域を確実に殺菌することができる。
【００２８】
気化式加湿エレメントが複数の繊維から作られ、機能水が電解水や弱酸性水、塩素系水溶液、オゾン水、過酸化水素水の中から選択された少なくとも１種類である給水および供給機構は、加湿エレメントを形成する繊維の毛細管現象によってエレメントの上面から給水された加湿水や機能水がエレメント全体に拡散、滲入することはもちろん、エレメントに菌が繁殖したとしても、それら機能水を利用してエレメント全域を確実に殺菌することができ、エレメントを清潔な状態で使用することができる。
【図面の簡単な説明】
【００２９】
【図１】給水および供給機構を使用した加湿空調システムの一例を示す構成図。
【図２】一例として示す給水および供給機構の斜視図。
【図３】第１および第２ノズルの側から示す第１給水ヘッダーと第２供給ヘッダーとの斜視図。
【図４】図２の給水および供給機構の上面図。
【図５】図２の給水および供給機構の側面図。
【図６】図２の給水および供給機構の第１および第２ノズルの中心軸の仮想垂直線に対する傾斜角度を示す図。
【図７】空調運転と加湿エレメント殺菌運転とのタイムスケジュールの一例を示す図。
【図８】空調システムにおける第１空調運転（加湿ＯＮ）および第２空調運転（加湿ＯＦＦ）を説明する図。
【図９】空調システムにおける弱殺菌運転の一例を説明する図。
【図１０】空調システムにおける強殺菌運転の一例を説明する図。
【図１１】他の一例として示す給水および供給機構の上面図。
【図１２】図１１の給水および供給機構の側面図。
【図１３】図１１の給水および供給機構の第１および第２ノズルの中心軸の仮想垂直線に対する傾斜角度を示す図。
【図１４】他の一例として示す給水および供給機構の斜視図。
【図１５】図１４の給水および供給機構の上面図。
【図１６】図１４の給水および供給機構の側面図。
【図１７】図１４の給水および供給機構の第１および第２ノズルの中心軸の仮想垂直線に対する傾斜角度を示す図。
【発明を実施するための形態】
【００３０】
給水および供給機構１０を使用した加湿可能かつ殺菌可能な加湿空調システム１１の構成図である図１等の添付の図面を参照し、本発明にかかる給水および供給機構の詳細を説明すると、以下のとおりである。なお、図２は、一例として示す給水および供給機構１０の斜視図であり、図３は、第１および第２ノズル４０，４５の側から示す第１給水ヘッダー３８と第２供給ヘッダー３９との斜視図である。図４は、図２の給水および供給機構１０の上面図であり、図５は、図２の給水および供給機構１０の側面図である。図６は、第１および第２ノズル４０，４５の中心軸Ｘ３，Ｘ６の仮想垂直線Ｘ４に対する傾斜角度α１，α２を示す図である。
【００３１】
図２では、空気の通過方向を矢印Ａで示し、通過方向と交差する交差方向を矢印Ｂで示すとともに、上下方向を矢印Ｃで示す。図２，５には、給水および供給機構１０とともに気化式加湿エレメント１３およびドレンパン２４が図示されている。図４には、給水および供給機構１０とともに気化式加湿エレメント１３が図示されている。なお、図２，５では、加湿水の給水の状態や第１および第２機能水の供給の状態を矢印で示しているが、後記するように、加湿水および機能水がエレメント１３に同時に給水かつ供給されることはなく、いずれか一方のみが給水または供給される。
【００３２】
給水および供給機構１０は、図１に示すように、空調システム１１を構成する加湿器組込型空調機１２の内部に設置され、空調機１２の内部に着脱可能に収容された気化式加湿エレメント１３に加湿水を給水するとともに、必要に応じて加湿エレメント１３を殺菌する機能水をエレメント１３に供給する。給水および供給機構１０を使用した加湿空調システム１１は、空気を空調する加湿器組込型空調機１２と、所定容積の空調室１４と、加湿水給水ライン１５（第１給水ライン）と、第１および第２機能水供給ライン１６，１７（第２供給ライン）と、コントローラ１８（制御装置）と、湿度センサ１９とから形成されている。なお、図１の空調システム１１では、２本の機能水供給ライン１６，１７が設置されているが、機能水供給ライン１６，１７の本数に特に限定はなく、１本の機能水供給ラインのみが設置されていてもよく、３本以上の機能水供給ラインが設置されていてもよい。
【００３３】
加湿器組込型空調機１２は、空調室１４に気化式加湿器（滴下浸透気化式加湿器）によって加湿された空調空気または加湿されない空調空気を供給する。空調機１２は、空調室１４の室外に設置されているが、室内に設置される場合もある。空調機１２は、所定容積のハウジング２０と、冷却コイル２１および加熱コイル２２と、気化式加湿エレメント１３と、給水および供給機構１０と、送風機２３（ファン）と、ドレンパン２４と、制御部（図示せず）とから形成されている。空調機１２の制御部は、通信インターフェイス２５を介してコントローラ１８に接続されている。空調機１２には、外気または外気と室内還気との混合気を取り入れるダクト２６が連結されている。空調機１２は、給気ダクト２７を介して空調室１４に連結されている。
【００３４】
ハウジング２０は、図示はしていないが、頂壁および底壁と前壁および後壁と両側壁とを有する筐体であり、その前壁に空気流入口が作られ、その後壁に空気流出口が作られている。ハウジング２０の内部では、その空気流入口から空気流出口に向かって、冷却コイル２１、加熱コイル２２、加湿エレメント１３、送風機２３の順で並んでいる。冷却コイル２１は、空調機１２の内部に設置され、空気を冷却および除湿して空調空気を作る。加熱コイル２２は、空調機１２の内部に設置され、空気を加熱して空調空気を作る。空調機１２では、中央空調方式または個別空調方式によって設定された設定温度にしたがって、冷却コイル２１または加熱コイル２２の流量が加減され、空調室１４の温度や湿度がコントロールされる。
【００３５】
気化式加湿エレメント１３は、合成樹脂繊維や無機繊維等の複数の繊維から作られている。加湿エレメント１３は、加湿水供給ライン１５や第１および第２機能水供給ライン１６，１７から供給される加湿水や機能水を保水し、加湿水や機能水のうちの余剰分をドレンパン２４に排水する。合成繊維を作る合成樹脂には、加湿水および機能水の拡散特性や保水特性が得られるものであれば特に限定はない。合成樹脂には、ポリプロピレン、ポリエチレン、ポリメチルペンテン、結晶性ポリスチレン等のポリオレフィン系樹脂、ポリエチレンテレフタレート、ポリエチレンナフタレート、ポリブチレンテレフタレート、ポリトリメチレンテレフタレート等の芳香族ポリエステル系樹脂、ポリ乳酸、ポリカプロラクトン等の脂肪族ポリエステル系樹脂、ポリカーボネート、ナイロン６６、ナイロン６等のポリアミド系樹脂等を使用することができる。
【００３６】
加湿エレメント１３は、６面立体構造物であり、所定の面積を有して加湿前の空気が通過する前面２８と、所定の面積を有して加湿後の空気が通過する後面２９と、所定の面積を有して加湿水および機能水のいずれかが給水される上面３０と、所定の面積を有して加湿水および機能水のいずれかの余剰分が排水される下面３１と、所定の面積を有して上下面３０，３１の間に延びる両側面３２，３３とを有する（図２参照）。
【００３７】
加湿エレメント１３は、その前面２８が加熱コイル２２（ハウジング２０の前壁）に対向し、その後面２９が送風機２３（ハウジング２０の後壁）に対向するとともに、その上面３０がハウジング２０の頂壁に対向し、その下面３１がハウジング２０の底壁に対向する。加湿エレメント１３の上面３０は、前面２８の側に位置して交差方向へ延びる第１端縁３４と、後面２９の側に位置して交差方向へ延びる第２端縁３５と、一方の側面３２の側に位置して通過方向へ延びる第１側縁３６と、他方の側面３３の側に位置して通過方向へ延びる第２側縁３７とを有する（図４参照）。
【００３８】
給水および供給機構１０は、加湿エレメント１３の上面３０の直近かつ上方に位置する１本の第１給水ヘッダー３８と、加湿エレメント１３の上面３０の直近かつ上方に位置する１本の第２供給ヘッダー３９とを備えている。第１給水ヘッダー３８は、合成樹脂から作られた断面円形の中空管であり、エレメント１３の上面３０の第１側縁３２から第２側縁３３に向かって交差方向へ直状に延びている。第１給水ヘッダー３８は、図３に示すように、加湿水を加湿エレメント１３の上面３０に向かって給水（流下）する複数の第１ノズル４０を有する。それら第１ノズル４０は、第１給水ヘッダー３８の外周面において交差方向へ略等間隔離間しつつ、交差方向へ一列に並んでいる。
【００３９】
第１給水ヘッダー３８は、加湿エレメント１３の上面３０を、上面３０の第１および第２側縁３２，３３を通過方向に二分して交差方向へ延びる仮想中心線Ｘ１と第１端縁３４との間に延びる第１上面４１と、仮想中心線Ｘ１と第２端縁３５との間に延びる第２上面４２とに区分したときの、第１上面４１の側であって、さらに、第１上面４１を、第１上面４１の第１および第２側縁３２，３３を通過方向に二分して交差方向へ延びる第１仮想二分線Ｘ２と第１端縁３４との間に延びる前方第１上面４３と、第１仮想二分線Ｘ２と仮想中心線Ｘ１との間に延びる後方第１上面４４とに区分したときの、後方第１上面４４の直近かつ上方に配置されている。第１給水ヘッダー３８は、仮想中心線Ｘ１と平行しつつ中心線Ｘ１の近傍に位置している。その結果、それら第１ノズル４０が仮想中心線Ｘ１の近傍であって、中心線Ｘ１に平行して並んでいる。
【００４０】
第１給水ヘッダー３８のそれら第１ノズル４０の中心軸Ｘ３は、仮想中心線Ｘ１に向かって所定の角度で傾斜している。加湿エレメント１３の上下面３０，３１の間に延びる仮想垂直線Ｘ４に対するそれら第１ノズル４０の中心軸Ｘ３の傾斜角度α１は、図６に示すように、２０〜４０°の範囲にある。第１ノズル４０の中心軸Ｘ３の好ましい傾斜角度α１は、仮想垂直線Ｘ４に対して３０°である。なお、第１給水ヘッダー３８のそれら第１ノズル４０の中心軸Ｘ３が仮想中心線Ｘ１に向かって傾斜せず、第１ノズル４０の中心軸Ｘ３が仮想垂直線Ｘ４に対して平行していてもよい。
【００４１】
第２供給ヘッダー３９は、合成樹脂から作られた断面円形の中空管であり、エレメント１３の上面３０の第１側縁３２から第２側縁３３に向かって交差方向へ直状に延びている。第２供給ヘッダー３９は、機能水を加湿エレメント１３の上面３０に向かって給水（流下）する複数の第２ノズル４５を有する。それら第２ノズル４５は、第２供給ヘッダー３９の外周面において交差方向へ略等間隔離間しつつ、交差方向へ一列に並んでいる。
【００４２】
第２供給ヘッダー３９は、加湿エレメント１３の上面３０を第１上面４１と第２上面４２とに区分したときの第２上面４２の側であって、さらに、第２上面４２を、第２上面４２の第１および第２側縁３２，３３を通過方向に二分して交差方向へ延びる第２仮想二分線Ｘ５と仮想中心線Ｘ１との間に延びる前方第２上面４６と、第２仮想二分線Ｘ５と第２端縁３５との間に延びる後方第２上面４７とに区分したときの、前方第２上面４６の直近かつ上方に配置されている。第２供給ヘッダー３９は、第１給水ヘッダー３８および仮想中心線Ｘ１と平行しつつ中心線Ｘ１の近傍に位置している。その結果、それら第２ノズル４５が仮想中心線Ｘ１の近傍であって、第１ノズル４０および中心線Ｘ１に平行して並んでいる。
【００４３】
第２供給ヘッダー３９のそれら第２ノズル４５の中心軸Ｘ６は、仮想中心線Ｘ１に向かって所定の角度で傾斜している。加湿エレメント１３の上下面３０，３１の間に延びる仮想垂直線Ｘ４に対するそれら第２ノズル４５の中心軸Ｘ６の傾斜角度α２は、２０〜４０°の範囲にある。第２ノズル４５の中心軸Ｘ６の好ましい傾斜角度α２は、仮想垂直線Ｘ４に対して３０°である。なお、第２供給ヘッダー３９のそれら第２ノズル４５の中心軸Ｘ６が仮想中心線Ｘ１に向かって傾斜せず、第２ノズル４５の中心軸Ｘ６が仮想垂直線Ｘ４に対して平行していてもよい。
【００４４】
それら図示の給水および供給機構１０では、第１給水ヘッダー３８がエレメント１３の第１上面４１の後方第１上面４４の直近かつ上方に位置し、第２供給ヘッダー３９がエレメント１３の第２上面４２の前方第２上面４６の直近かつ上方に位置しているが、第１給水ヘッダー３８がエレメント１３の第２上面４２の前方第２上面４６の直近かつ上方に位置し、第２供給ヘッダー３９がエレメント１３の第１上面４１の後方第１上面４４の直近かつ上方に位置していてもよい。
【００４５】
機能水には、塩化物を添加した水溶液を電気分解して生成される次亜塩素酸を含む電解水であってｐＨ３以下の強酸性水、次亜塩素酸を含む電解水であってｐＨ５〜７の電解中性水、次亜塩素酸を含む電解水であってｐＨ８〜９の電解次亜水、次亜塩素酸（ＨＯＣｌ）を主成分とし、ｐＨ５〜７の弱酸性で有効塩素濃度が数ｍｇ／Ｌ〜数１００ｍｇ／Ｌの弱酸性水、塩化物がとけ込んだ水溶液を有効塩素濃度が数ｍｇ／Ｌ〜数１００ｍｇ／Ｌ程度に希釈した殺菌能力を保持した塩素系水溶液、オゾンを水に溶け込ませたオゾン水、過酸化水素水の中から選択された少なくとも１種類が使用される。
【００４６】
送風機２３は、空調機１２の内部に空気を強制的に流入させ、空調空気を空調機１２の内部から外部に強制的に流出させる。送風機２３は、その稼働中における風量（風速）が設定されている。ドレンパン２４は、冷却コイル２１や加熱コイル２２、加湿エレメント１３の下方に配置され、冷却コイル２１から滴下する水滴を捕集するとともに、加湿エレメント１３の下面３１から排水された余剰分の加湿水や機能水を捕集し、それらを排水系統管に排水する。ダクト２６は、その先端部が空調機１２の空気吸込口に連結されている。給気ダクト２７は、その基端部が空調機１２の空気流出口に連結され、その先端部が空調室１４の天井に施設された給気口に連結されている。給気ダクト２７は、空調機１２によって作られた空調空気を空調室１４に給気する。
【００４７】
空調室１４には、クリーンルームや病室、実験室等を例示することができるが、空調室１４はそれらに限定されず、あらゆる種類の室（ホールや劇場、体育館、工場等を含む）に適用することができる。空調室１４は、天井および床と前後壁および側壁とに囲繞された所定容積の空調空間を有し、天井、床、それら壁によって室外と仕切られている。天井には、空調空気を空調室１４に吹き出すための吹出口（図示せず）が施設されている。側壁には、空調室１４の空気を排気するための排気口（図示せず）が施設されている。湿度センサ１９は、空調室１４の内部に設置され、通信インターフェイス２５を介してコントローラ１８に接続されている。湿度センサ１９は、空調室１４の内部の湿度を計測し、計測した測定湿度をコントローラ１８に送信する。空調室１４の内部の設定湿度や設定温度は、既存の自動制御方式によってコントローラに送信される。
【００４８】
加湿水給水ライン１５は、第１電磁弁４８および第２電磁弁４９と、加湿水用給水管５０とから形成されている。加湿水給水ライン１５は、必要に応じて加湿エレメント１３に加湿水（水道水）を給水する。加湿水用給水管５０の基端部は、水源配管５１に連結されている。加湿水用給水管５０の先端部は、第１給水ヘッダー３８に連結されている。加湿水給水ライン１５では、加湿水用給水管５０の基端部から先端部に向かって第１電磁弁４８、第２電磁弁４９の順に並んでいる。第１電磁弁４８は、加湿水用給水管５０に取り付けられ、その制御部が通信インターフェイス２５を介してコントローラ１８に接続されている。第２電磁弁４９は、加湿水用給水管５０に取り付けられ、その制御部が通信インターフェイス２５を介してコントローラ１８に接続されている。
【００４９】
第１機能水供給ライン１６は、第１給水配管５２と、第１機能水生成装置５３と、第１機能水貯水タンク５４（第１バッファタンク）と、第１送水ポンプ５５と、チャッキ弁５６と、機能水用第１供給管５７とから形成されている。第１機能水供給ライン１６は、加湿エレメント１３に第１機能水を供給する。第１機能水生成装置５３や第１機能水貯水タンク５４、第１送水ポンプ５５、チャッキ弁５６は、機能水用第１供給管５７によって連結されている。第１機能水供給ライン１６では、機能水用第１供給管５７の基端部から先端部に向かって、第１機能水生成装置５３、第１機能水貯水タンク５４、第１機能水送水ポンプ５５、チャッキ弁５６の順に並んでいる。機能水用第１給水管５７は、後記する機能水用第２給水管６４と合流し、その先端部が第２給水ヘッダー３９に連結されている。第１給水配管５２は、後記する第２給水配管５９と合流し、その基端部が水源配管５１に連結され、その先端部が第１機能水生成装置５３に連結されている。
【００５０】
第１機能水生成装置５３は、必要に応じて第１機能水を生成し、生成した第１機能水を第１貯水タンク５４に供給する。第１機能水には、たとえば、次亜塩素酸を含む電解機能水であってｐＨ３以下の強酸性水を使用することができる。したがって、第１機能水は、その殺菌作用（殺菌効果）が強い。第１機能水貯水タンク５４は、第１機能水生成装置５３によって作られた第１機能水を貯水する。第１機能水貯水タンク５４には、第１水位センサ５８（水位計）が設置されている。第１水位センサ５８は、通信インターフェイス２５を介してコントローラ１８に接続されている。第１水位センサ５８は、第１機能水貯水タンク５４に貯水された第１機能水の水位を計測し、計測した実測水位をコントローラ１８に送信する。第１送水ポンプ５５は、通信インターフェイス２５を介してコントローラ１８に接続されている。チャッキ弁５６は、第１機能水の逆流を防止する。
【００５１】
第２機能水供給ライン１７は、第２給水配管５９と、第２機能水生成装置６０と、第２機能水貯水タンク６１（第２バッファタンク）と、第２送水ポンプ６２と、チャッキ弁６３と、機能水用第２供給管６４とから形成されている。第２機能水供給ライン１７は、加湿エレメント１３に第２機能水を供給する。第２機能水生成装置６０や第２機能水貯水タンク６１、第２送水ポンプ６２、チャッキ弁６３は、機能水用第２供給管６４によって連結されている。第２機能水供給ライン１７では、機能水用第２供給管６４の基端部から先端部に向かって、第２機能水生成装置６０、第２機能水貯水タンク６１、第２機能水送水ポンプ６２、チャッキ弁６３の順に並んでいる。機能水用第２給水管６４は、機能水用第１給水管５７と合流し、その先端部が第２給水ヘッダー３９に連結されている。第２給水配管５９は、第１給水配管５２と合流し、その基端部が水源配管５１に連結され、その先端部が第２機能水生成装置６０に連結されている。
【００５２】
第２機能水生成装置６０は、必要に応じて第２機能水を生成し、生成した第２機能水を第２貯水タンク６１に供給する。第２機能水には、たとえば、次亜塩素酸を含む電解機能水であってｐＨ８〜９の電解次亜水を使用することができる。したがって、第２機能水は、その殺菌作用（殺菌効果）が第１機能水のそれよりも弱い。第２機能水貯水タンク６１は、第２機能水生成装置６０によって作られた第２機能水を貯水する。第２機能水貯水タンク６１には、第２水位センサ６６（水位計）が設置されている。第２水位センサ６６は、通信インターフェイス２５を介してコントローラ１８に接続されている。第２水位センサ６６は、第２機能水貯水タンク６１に貯水された第２機能水の水位を計測し、計測した実測水位をコントローラ１８に送信する。第２送水ポンプ６２は、通信インターフェイス２５を介してコントローラ１８に接続されている。チャッキ弁６３は、第２機能水の逆流を防止する。
【００５３】
コントローラ１８は、中央処理部（ＣＰＵまたはＭＰＵ）とメモリ（主記憶部）とを有するマイクロコンピュータであり、データ記憶装置が内蔵されている。コントローラ１８には、テンキーユニット（図示せず）やディスプレイ（図示せず）等の入出力装置が通信インターフェイスを介して接続されている。コントローラ１８の中央処理部は、オペレーティングシステムによる制御に基づいて、メモリからアプリケーションを起動し、起動したアプリケーションに従って、後記する第１空調運転（加湿運転）や第２空調運転、殺菌運転を実施する。
【００５４】
コントローラ１８のデータ記憶装置には、空調室１４の設定湿度や設定温度が格納されているとともに、タイムスケジュール（図７参照）が格納されている。コントローラ１８のデータ記憶装置には、あらかじめ設定された第１機能水貯水タンク５４の第１機能水の設定水位とあらかじめ設定された第２機能水貯水タンク６１の第２機能水の設定水位とが格納されている。
【００５５】
コントローラ１８は、第１水位センサ５８から送信された実測水位と設定水位とを比較し、実測水位が設定水位未満になると、第１機能水生成装置５３の制御部に第１機能水の生成信号を送信する。第１機能水生成装置５３の制御部は、コントローラ１８からの生成信号にしたがって第１機能水を生成し、生成した第１機能水を第１機能水貯水タンク５４に供給する。コントローラ１８は、第１機能水貯水タンク５４に貯水された第１機能水の水位を監視し、第１機能水貯水タンク５４に略一定量の第１機能水が常時貯水されるように、第１機能水生成装置５３に第１機能水を補給させる。
【００５６】
コントローラ１８は、第２水位センサ６６から送信された実測水位と設定水位とを比較し、実測水位が設定水位未満になると、第２機能水生成装置６０の制御部に第２機能水の生成信号を送信する。第２機能水生成装置６０の制御部は、コントローラ１８からの生成信号にしたがって第２機能水を生成し、生成した第２機能水を第２機能水貯水タンク６１に供給する。コントローラ１８は、第２機能水貯水タンク６１に貯水された第２機能水の水位を監視し、第２機能水貯水タンク６１に略一定量の第２機能水が常時貯水されるように、第２機能水生成装置６０に第２機能水を補給させる。
【００５７】
図７は、タイムスケジュールの一例を示す図であり、図８は、空調システム１１における第１および第２空調運転を説明する図である。タイムスケジュールには、第１送水ポンプ５５の運転開始時間（運転時間）および運転停止時間（停止時間）、第２送水ポンプ６２の運転開始時間（運転時間）および運転停止時間（停止時間）がある。タイムスケジュールは、テンキーユニットを介して自由に設定することができる。
【００５８】
第１送水ポンプ５５の起動時間の間隔は、たとえば、３ヶ月、６ヶ月等の長時間が設定され、第１送水ポンプ５５の運転時間は、たとえば、１５分、３０分、１時間等が設定される。第２送水ポンプ６２の起動時間の間隔は、第１送水ポンプ５５のそれよりも短く、たとえば、１日、２日等が設定され、第２送水ポンプ６２の運転時間は、たとえば、１時間／日、２時間／日等が設定される。第１および第２送水ポンプ５５，６２の運転時間が停止時間に比べて短いのは、菌の殺菌に長い時間が必要ないからである。
【００５９】
図７のタイムスケジュールに基づいて、給水および供給機構１０を使用した空調システム１１における第１空調運転（加湿運転）の一例を説明すると、以下のとおりである。なお、第１送水ポンプ５５の運転開始時間が６ヶ月に設定されているとともに、第２送水ポンプ６２の運転開始時間が３０日に設定されているものとする。また、第１および第２送水ポンプ５５，６２の運転時間が１時間に設定されているものとする。なお、図７のタイムスケジュールに示すように、第１送水ポンプ５５を運転する場合、第２送水ポンプ６２の次回運転開始時間が第１送水ポンプ５５の運転終了時から３０日延長される。第１機能水貯水タンク５４に第１機能水が貯水され、第２機能水貯水タンク６１に第２機能水が貯水されているものとする。
【００６０】
空調システム１１では、第２送水ポンプ６２の運転開始時間（３０日後）になると、第２機能水供給ライン１７による弱殺菌運転が行われ、第２送水ポンプ６２の運転時間（１時間）が経過すると、加湿水給水ライン１５による第１空調運転（加湿運転）または第２空調運転が行われる。空調システム１１では、第１送水ポンプ５５の運転開始時間（６ヶ月後）になると、第１機能水供給ライン１６による強殺菌運転が行われ、第１送水ポンプ５５の運転開始時間になると、加湿水供給ライン１５による第１空調運転または第２空調運転が行われる。
【００６１】
コントローラ１８は、第１および第２送水ポンプ５５，６２の運転開始時間にあるかを判断する。第１および第２送水ポンプ５５，６２が停止状態にある場合であって、湿度センサ１９が計測した測定湿度が設定湿度に達していない場合、空調システム１１では、第１空調運転（加湿運転）を実施する。第１空調運転では、空調室１４の温度が設定温度になるように、空調機１２の制御部が冷却コイル２１または加熱コイル２２の冷媒流量を調節する。さらに、加湿水供給ライン１５が加湿エレメント１３へ加湿水を供給するとともに、加湿エレメント１３が空調機１２によって作られた空調空気を加湿する。
【００６２】
第１空調運転では、第１および第２機能水供給ライン１６，１７から機能水は供給されない。第１空調運転においてコントローラ１８は、第１および第２送水ポンプ５５，６２の停止状態を保持すると判断し、第１および第２送水ポンプ５５，６２に停止指令を送信する。第１および第２送水ポンプ５５，６２は、コントローラ１８から送信された停止指令にしたがってその電源がＯＦＦとなり、停止状態を保持する。また、コントローラ１８は、第１電磁弁４８の弁機構を開放した状態に保持する。
【００６３】
第１空調運転において、湿度センサ１９から測定湿度がコントローラ１８に送信されている。コントローラ１８は、湿度センサ１９が計測した測定湿度と設定湿度とを比較し、測定湿度が設定湿度に達していないと判断すると、第２電磁弁４９に開放指令を送信する。第２電磁弁４９は、コントローラ１８から送信された開放指令にしたがってその弁機構を開放する。なお、測定湿度が設定湿度に達していない間、第２電磁弁４９の弁機構の開放が継続される。
【００６４】
第１空調運転では、第２電磁弁４９の弁機構が開放され、図８に矢印Ｌ１で示すように、加湿水（水道水）が加湿水用給水管５０を通り、第１給水ヘッダー３８に給水される。加湿水は、図２，５に矢印で示すように、第１給水ヘッダー３８のそれら第１ノズル４０から加湿エレメント１３の上面３０に給水される。エレメント１３の上面３０に給水された加湿水は、仮想中心線Ｘ１（仮想垂直線Ｘ４）に向かってエレメント１３に流下され、エレメント１３を作る繊維の毛細管現象によって上面３０から下方へ向かってエレメント１３の内部に次第に滲入し、エレメント１３の中心部から周縁部に向かって次第に拡散してエレメント１３全域に滲入する。
【００６５】
加湿エレメント１３では、その全域に給水された加湿水を保水し、余剰分を下面３１からドレンパン２４に排水する。空調機１２によって作られた空調空気は、図２，４，５に矢印で示すように、加湿水を保水した加湿エレメント１３の前面２８からエレメント１３の内部に進入し、エレメント１３を通流しつつ、加湿水と接触することで加湿された空調空気になる。加湿された空調空気は、エレメント１３の後面２９から流出し、図８に矢印Ｌ２で示すように、給気ダクト２７から空調室１４に給気される。なお、測定湿度が設定湿度に達するまで第１空調運転が実施される。
【００６６】
次に、空調システム１１における第２空調運転を説明すると、以下のとおりである。コントローラ１８は、第１および第２送水ポンプ５５，６２の運転開始時間にあるかを判断し、ポンプ５５，６２の運転開始時間にある場合であって、湿度センサ１９が計測した測定湿度が設定湿度に達している場合（第１空調運転を実施した後、測定湿度が設定湿度に達した場合を含む）、第２空調運転を実施する。第２空調運転では、空調室１４の温度が設定温度になるように、空調機１２が冷却コイル２１または加熱コイル２２の冷媒流量を調節する。さらに、加湿水給水ライン１５から加湿エレメント１３への加湿水の給水が停止されるとともに、空調機１２によって作られた空調空気が空調室１４に供給される。
【００６７】
第２空調運転では、湿度センサ１９から測定湿度がコントローラ１８に送信されている。コントローラ１８は、湿度センサ１９が計測した測定湿度と設定湿度とを比較し、測定湿度が設定湿度に達したと判断すると、第２電磁弁４９に閉鎖指令を送信する。第２電磁弁４９は、コントローラ１８から送信された閉鎖指令にしたがってその弁機構を閉鎖する。なお、測定湿度が設定湿度に達している間、第２電磁弁４９の弁機構の閉鎖が継続される。第２空調運転では、第２電磁弁４９の弁機構が閉鎖され、第１ノズル４０からの加湿水の加湿エレメント１３への給水が停止される。加湿されない空調空気は、給気ダクト２７から空調室１４に供給される。なお、測定湿度が設定湿度に達している間、第２空調運転が実施され、測定湿度が設定湿度に達しなくなると、再び第１空調運転が実施される。
【００６８】
給水および供給機構１０は、第１給水ヘッダー３８が加湿エレメント１３の上面３０の第１上面４１であって後方第１上面４４の直近かつ直上に位置するとともに、第１給水ヘッダー３８の第１ノズル４０の中心軸Ｘ３が仮想垂直線Ｘ４に対して２０〜４０°の範囲で傾斜しているから、第１給水ヘッダー３８から給水される加湿水が６面立体構造物である加湿エレメント１３の上面３０から下方へ向かって流下する間に、エレメント１３の中心部から周縁部に向かって次第に拡散し、加湿水をエレメント１３全域に満遍なく滲入させることができる。給水および供給機構１０は、第１空調運転時（加湿運転時）に加湿水が６面立体構造物である加湿エレメント１３全域に満遍なく滲入するから、加湿前の空気をエレメント１３を通すことで確実に加湿することができ、十分に加湿された加湿空気を作ることができる。
【００６９】
図９は、空調システム１１における弱殺菌運転の一例を説明する図である。図９に基づいて、空調システム１１における弱殺菌運転の一例を説明すると、以下のとおりである。空調システム１１では、加湿エレメント１３に発生した菌（繁殖した菌）を殺菌する場合、第１および第２空調運転を停止し、加湿エレメント１３を殺菌する殺菌運転（弱殺菌運転または強殺菌運転）を行う。殺菌運転では、加湿水給水ライン１５からの加湿水の給水を停止しつつ、機能水貯水タンク５４，６１に貯水された機能水（第１機能水または第２機能水）を送水ポンプ５５，６２を介して機能水供給ライン１６，１７から加湿エレメント１３に所定時間（設定時間）供給する。
【００７０】
コントローラ１８は、第１および第２送水ポンプ５５，６２の運転開始時間にあるかを判断する。第１空調運転または第２空調運転を実施してから３０日が経過し、第１送水ポンプ５５が停止状態であり、第２送水ポンプ６２が運転開始時間になった場合、第２機能水供給ライン１７による弱殺菌運転を実施する。なお、図７のタイムスケジュールに示すように、３０日の期間（時間）の起算日（起算時間）は弱殺菌運転を行う毎にリセットされ、弱殺菌運転が行われた後、次の３０日後の運転開始時間を待つ。
【００７１】
弱殺菌運転では、加湿水給水ライン１５から加湿水は給水されず、第１機能水供給ライン１６から第１機能水は供給されない。弱殺菌運転においてコントローラ１８は、第１電磁弁４８に閉鎖指令を送信する。第１電磁弁４８は、コントローラ１８から送信された閉鎖指令にしたがってその弁機構を閉鎖する。それによって、加湿水給水ライン１５における加湿水の給水が停止する。弱殺菌運転においてコントローラ１８は、第２送水ポンプ６２の運転開始時間にあると判断し、第２送水ポンプ６２に起動指令を送信する。第２送水ポンプ６２は、コントローラ１８から送信された起動指令にしたがってその電源がＯＮとなる。また、コントローラ１８は、第１送水ポンプ５５の停止状態を保持すると判断し、第１送水ポンプ５５に停止指令を送信する。第１送水ポンプ５５は、コントローラ１８から送信された停止指令にしたがってその電源がＯＦＦのままとなり、停止状態を保持する。
【００７２】
第２送水ポンプ６２が起動すると、図９に矢印Ｌ３で示すように、第２機能水貯水タンク６１に貯水された第２機能水がタンク６１から機能水用第２供給管６４を通り、第２給水ヘッダー３９に供給される。第２機能水は、図２，５に矢印で示すように、第２給水ヘッダー３９のそれら第２ノズル４５から加湿エレメント１３の上面３０に供給される。エレメント１３の上面３０に供給された第２機能水は、仮想中心線Ｘ１（仮想垂直線Ｘ４）に向かってエレメント１３に流下され、エレメント１３を作る繊維の毛細管現象によって上面から下方へ向かってエレメント１３の内部に次第に滲入し、エレメント１３の中心部から周縁部に向かって次第に拡散してエレメント１３全域に滲入する。
【００７３】
加湿エレメント１３では、第２機能水を保水し、余剰分を下面３１からドレンパン２４に排水する。弱殺菌運転では、加湿エレメント１３が第２機能水によって殺菌される。弱殺菌運転を行うことで、加湿エレメント１３に菌が発生（繁殖）したとしても、第２機能水を利用してエレメント１３を殺菌することができる。なお、第２機能水がエレメント１３に供給されると、第２機能水貯水タンク６１における機能水の貯水量が減少する。第２水位センサ６６からコントローラ１８に送信された実測水位が設定水位未満になると、第２機能水生成装置６０の制御部は、コントローラ１８からの機能水生成指令にしたがって、第２機能水を生成しつつ、生成した第２機能水を第２機能水貯水タンク６４に供給し、第２機能水貯水タンク６４における第２機能水の貯水量を設定水位にまで回復させる。
【００７４】
第２送水ポンプ６２を運転してから３０分が経過し、第２送水ポンプ６２の運転時間が経過した場合、コントローラ１８は、第２送水ポンプ６２の停止時間にあると判断し、第２送水ポンプ６２に停止指令を送信する。さらに、第１電磁弁４８に開放指令を送信する。第２送水ポンプ６２は、コントローラ１８から送信された停止指令にしたがってその電源がＯＦＦとなり、停止状態を保持する。第１電磁弁４８は、コントローラ１８から送信された開放指令にしたがってその弁機構を開放する。第２送水ポンプ６２が稼働してから３０分が経過した後、第１空調運転（加湿運転）または第２空調運転のいずれかが行われる。なお、図９の弱殺菌運転では、コントローラ１８が空調機１２の運転を停止する場合、または、コントローラ１８が空調機１２の運転を継続する場合がある。
【００７５】
図１０は、空調システム１１における強殺菌運転の一例を説明する図である。図１０に基づいて、空調システム１１における強殺菌運転の一例を説明すると、以下のとおりである。コントローラ１８は、第１および第２送水ポンプ５５，６２の運転開始時間にあるかを判断する。第１空調運転または第２空調運転を行ってから６ヶ月が経過し、第２送水ポンプ６２の停止状態であり、第１送水ポンプ５５の運転開始時間になった場合、空調システム１１では、第１機能水供給ライン１６による強殺菌運転を行う。なお、図７のタイムスケジュールに示すように、６ヶ月の期間（時間）の起算日（起算時間）は強殺菌運転を行う毎にリセットされ、強殺菌運転が行われた後、次の６ヶ月後の運転開始時間を待つ。
【００７６】
強殺菌運転では、加湿水給水ライン１５から加湿水は給水されず、第２機能水供給ライン１７から第２機能水は供給されない。強殺菌運転においてコントローラ１８は、第１電磁弁４８に閉鎖指令を送信する。第１電磁弁４８は、コントローラ１８から送信された閉鎖指令にしたがってその弁機構を閉鎖する。それによって、加湿水給水ライン１５からの加湿水の給水が停止する。強殺菌運転においてコントローラ１８は、第１送水ポンプ５５の運転開始時間にあると判断し、第１送水ポンプ５５に起動指令を送信する。第１送水ポンプ５５は、コントローラ１８から送信された起動指令にしたがってその電源がＯＮとなる。また、コントローラ１８は、第２送水ポンプ６２の停止状態を保持すると判断し、第２送水ポンプ６２に停止指令を送信する。第２送水ポンプ６２は、コントローラ１８から送信された停止指令にしたがってその電源がＯＦＦのままとなり、停止状態を保持する。
【００７７】
第１送水ポンプ５５が稼働すると、図１０に矢印Ｌ４で示すように、第１機能水貯水タンク５４に貯水された第１機能水がタンク５４から機能水用第１供給管５７を通り、第２給水ヘッダー３９に供給される。第１機能水は、第２給水ヘッダー３９のそれら第２ノズル４５から加湿エレメント１３の上面３０に供給される。エレメント１３の上面３０に給水された第１機能水は、仮想中心線Ｘ１（仮想垂直線Ｘ４）に向かってエレメント１３に流下され、エレメント１３を作る繊維の毛細管現象によって上面３０から下方へ向かってエレメント１３の内部に次第に滲入し、エレメント１３の中心部から周縁部に向かって次第に拡散してエレメント１３全域に滲入する。
【００７８】
加湿エレメント１３では、第１機能水を保水し、余剰分を下面３１からドレンパン２４に排水する。強殺菌運転では、加湿エレメント１３が第１機能水によって殺菌される。強殺菌運転を行うことで、加湿エレメント１３に発生（繁殖）した菌を第１機能水を利用して確実に殺菌することができる。なお、第１機能水がエレメント１３に供給されると、第１機能水貯水タンク５４における機能水の貯水量が減少する。第１水位センサ５８からコントローラ１８に送信された実測水位が設定水位未満になると、第１機能水生成装置５３の制御部は、コントローラ１８からの機能水生成指令にしたがって、第１機能水を生成しつつ、生成した第１機能水を第１機能水貯水タンク５４に供給し、第１機能水貯水タンク５４における第１機能水の貯水量を設定水位にまで回復させる。
【００７９】
第１送水ポンプ５５が起動してから１時間が経過し、第１送水ポンプ５５の運転時間が経過した場合、コントローラ１８は、第１送水ポンプ５５の停止状態を保持すると判断し、第１送水ポンプ５５に停止指令を送信する。さらに、第１電磁弁４８に開放指令を送信する。第１送水ポンプ５５は、コントローラ１８から送信された停止指令にしたがってその電源がＯＦＦとなり、停止状態を保持する。第１電磁弁４８は、コントローラ１８から送信された開放指令にしたがってその弁機構を開放する。第１送水ポンプ５５が起動してから１時間が経過した後、第１空調運転または第２空調運転のいずれかが行われる。図１０の強殺菌運転では、コントローラ１８が空調機１２の運転を停止する場合、または、コントローラ１８が空調機１２の稼働を運転する場合がある。
【００８０】
給水および供給機構１０は、第２供給ヘッダー３９が加湿エレメント１３の上面３０の第２上面４２であって前方第２上面４６の直近かつ直上に位置するとともに、第２供給ヘッダー３９の第２ノズル４５の中心軸Ｘ６が仮想垂直線Ｘ４に対して２０〜４０°の範囲で傾斜しているから、第２供給ヘッダー３９から供給される第１機能水や第２機能水が６面立体構造物である加湿エレメント１３の中心部から周縁部に向かって次第に拡散し、それら機能水をエレメント１３全域に満遍なく滲入させることができる。給水および供給機構１０は、殺菌運転時に第１および第２機能水が６面立体構造物である加湿エレメント１３全域に満遍なく滲入するから、エレメント１３に菌が発生（繁殖）したとしても、それら機能水を利用してエレメント１３全域を殺菌することができ、エレメント１３を清潔な状態で使用することができる。
【００８１】
給水および供給機構１０は、加湿水が加湿水給水ライン１５（第１給水ライン）から第１給水ヘッダー３８に供給されるとともに、機能水が加湿水給水ライン１５とは別の機能水供給ライン１６，１７（第２供給ライン）から第２供給ヘッダー３９に供給され、加湿水と機能水とが別々のライン１５〜１７を通るから、加湿水を供給する給水ライン１５の加湿水用給水管５０（配管）や第２電磁弁４９（電磁弁）の機能水による腐食を防ぐことができる。給水および供給機構１０は、加湿水を供給する給水ライン１５の加湿水用給水管５０や第２電磁弁４９が腐食することはないから、給水管５０における加湿水の漏水や電磁弁４９の動作障害等の問題が生じることはなく、第１空調運転時（加湿運転時）に必要な量の加湿水を加湿エレメント１３に給水することができ、空調空気を十分に加湿することができる。
【００８２】
図１１は、他の一例として示す給水および供給機構１０の上面図であり、図１２は、図１１の給水および供給機構１０の側面図である。図１３は、第２ノズル４５の中心軸Ｘ６の仮想垂直線Ｘ４に対する傾斜角度α３を示す図である。図１１の給水および供給機構１０において、第１給水ヘッダー３８は、加湿エレメント１３の上面３０を第１上面４１と第２上面４２とに区分したときの第１上面４１の側であって、第１上面４１を前方第１上面４３と後方第１上面４４とに区分したときの前方第１上面４３の直近かつ上方に配置されている。第１給水ヘッダー３８は、加湿水給水ライン１５（第１給水ライン）につながっている。第１給水ヘッダー３８が仮想中心線Ｘ１と平行し、それら第１ノズル４０が仮想中心線Ｘ１に平行して交差方向へ一列に並んでいる（図３参照）。第１給水ヘッダー３８のそれら第１ノズル４０の中心軸Ｘ３は、仮想中心線Ｘ１に向かって傾斜せず、仮想垂直線Ｘ４に対して平行している。
【００８３】
なお、空調システム１１における第１空調運転（加湿運転）や第２空調運転は、記述のとおりであるから、図８およびその説明を援用することで、図１１の給水および供給機構１０を使用したシステム１１の第１空調運転や第２空調運転の説明は省略する。第１空調運転において、第１ノズル４０から給水された加湿水は前方第１上面４３に流下するが、加湿エレメント１３を通過する空気の流量が多い場合、図１２に示すように、その空気の影響で加湿水が仮想中心線Ｘ１（仮想垂直線Ｘ４）の方向へ押し流される。その結果、第１給水ヘッダー３８から給水された加湿水が６面立体構造物である加湿エレメント１３を流下する間に、加湿水が上面３０の第１端部３４からエレメント１３の中心部に向かうとともに、中心部から周縁部に向かって次第に拡散し、加湿水がエレメント１３全域に満遍なく滲入する。
【００８４】
図１１の給水および供給機構１０は、第１給水ヘッダー３８が前方第１上面４３の直近かつ直上に配置されているから、加湿エレメント１３を通流する空気によって加湿水が前面２８の側から後面２９の側に押し流されたとしても、前方第１上面４３からエレメント１３に給水された加湿水がその空気を利用してエレメント１３全域に拡散し、加湿水のエレメント１３における偏りを防ぐことができ、加湿水を６面立体構造物であるエレメント１３全域に満遍なく滲入させることができる。給水および供給機構１０は、第１空調運転時（加湿運転時）に加湿水を加湿エレメント１３全域に満遍なく滲入させることができるから、加湿前の空気をエレメント１３を通すことで確実に加湿することができ、十分に加湿された加湿空気を作ることができる。
【００８５】
第２供給ヘッダー３９は、加湿エレメント１３の上面３０を第１上面４１と第２上面４２とに区分したときの第１上面４１の側であって、第１上面４１を前方第１上面４３と後方第１上面４４とに区分したときの後方第１上面４４の直近かつ上方に配置されている。第２供給ヘッダー３９は、第１および第２機能水供給ライン１６，１７（第２供給ライン）につながっている。第２供給ヘッダー３９が第１給水ヘッダー３８および仮想中心線Ｘ１と平行し、それら第２ノズル４５が第１ノズル４０および仮想中心線Ｘ１に平行して交差方向へ一列に並んでいる（図３参照）。
【００８６】
第２供給ヘッダー３９のそれら第２ノズル４５の中心軸Ｘ６（仮想中心線Ｘ１に近い位置にあるヘッダーのノズルの中心軸）は、加湿エレメント１３の上面３０の第１端縁３４に向かって所定の角度で傾斜している。加湿エレメント１３の上下面３０，３１の間に延びる仮想垂直線Ｘ４に対するそれら第２ノズル４５の中心軸Ｘ６の傾斜角度α３（第１端縁３４に向かって傾斜する角度）は、２０〜４０°の範囲にある。第２ノズル４５の中心軸Ｘ６の好ましい傾斜角度α３は、仮想垂直線Ｘ４に対して３０°である。
【００８７】
なお、空調システム１１における殺菌運転は、記述のとおりであるから、図９，１０およびその説明を援用することで、図１１の給水および供給機構１０を使用したシステム１１の殺菌運転の説明は省略する。殺菌運転において、第２ノズル４５から供給された機能水は後方第１上面４４から第１端縁３４に向かって流下するが、加湿エレメント１３を通過する空気の流量が多い場合、図１２に示すように、その空気の影響で機能水が仮想中心線Ｘ１（仮想垂直線Ｘ４）の方向へ押し流される。その結果、第２供給ヘッダー３９から供給された機能水が６面立体構造物である加湿エレメント１３を流下する間に、機能水が上面３０の第１端部３４の側からエレメント１３の中心部に向かうとともに、中心部から周縁部に向かって次第に拡散し、機能水がエレメント１３全域に満遍なく滲入する。
【００８８】
図１１の給水および供給機構１０は、第２供給ヘッダー３９が加湿エレメント１３の上面３０の第１上面４１の後方第１上面４４の直近かつ直上に配置されているとともに、第２供給ヘッダー３９の第２ノズル４５の中心軸Ｘ６が第１端縁３４に向かって傾斜し、その傾斜角度α３が仮想垂直線Ｘ４に対して２０〜４０°の範囲にあるから、第２供給ヘッダー３９から供給される第１機能水や第２機能水が６面立体構造物である加湿エレメント１３の上面３０の第１端縁３４の側から中心部に向かうとともに、中心部から周縁部に向かって次第に拡散し、それら機能水をエレメント１３全域に満遍なく滲入させることができる。給水および供給機構１０は、殺菌運転時に第１および第２機能水が６面立体構造物である加湿エレメント１３全域に満遍なく滲入するから、エレメント１３に菌が発生（繁殖）したとしても、それら機能水を利用してエレメント１３全域を殺菌することができ、エレメント１３を清潔な状態で使用することができる。
【００８９】
図１１の給水および供給機構１０では、第１給水ヘッダー３８がエレメント１３の第１上面４１の前方第１上面４３の直近かつ上方に位置し、第２供給ヘッダー３９がエレメント１３の第１上面４１の後方第１上面４４の直近かつ上方に位置しているが、第１給水ヘッダー３８がエレメント１３の第１上面４１の後方第１上面４４の直近かつ上方に位置し、第２供給ヘッダー３９がエレメント１３の第１上面４１の前方第１上面４３の直近かつ上方に位置していてもよい。
【００９０】
図１４は、他の一例として示す給水および供給機構１０の斜視図であり、図１５は、図１４の給水および供給機構１０の上面図である。図１６は、図１４の給水および供給機構１０の側面図であり、図１７は、図１４の給水および供給機構１０の第１および第２ノズル４０，４５の中心軸Ｘ３，Ｘ６の仮想垂直線Ｘ４に対する傾斜角度α１，α２を示す図である。図１４の給水および供給機構１０は、加湿エレメント１３の上面３０の直近かつ上方に位置する２本の第１給水ヘッダー３８ａ，３８ｂと、加湿エレメント１３の上面３０の直近かつ上方に位置する２本の第２供給ヘッダー３９ａ，３９ｂとを備えている。それら第１給水ヘッダー３８ａ，３８ｂは、加湿水給水ライン１５（第１給水ライン）につながり、それら第２供給ヘッダー３９ａ，３９ｂは、第１および第２機能水供給ライン１６，１７（第２供給ライン）につながっている。
【００９１】
第１給水ヘッダー３８ａは、加湿エレメント１３の上面３０を第１上面４１と第２上面４２とに区分したときの第１上面４１の側であって、第１上面４１を前方第１上面４３と後方第１上面４４とに区分したときの前方第１上面４３の直近かつ上方に配置されている。第１給水ヘッダー３８ａは、前方第１上面４３の中央に位置して仮想第１二分線Ｘ２と平行し、ヘッダー３８ａのそれら第１ノズル４０が仮想第１二分線Ｘ２に平行して交差方向へ一列に並んでいる。第１給水ヘッダー３８ａのそれら第１ノズル４０の中心軸Ｘ３は、仮想第１二分線Ｘ２に向かって所定の角度で傾斜している。仮想垂直線Ｘ４に対するそれら第１ノズル４０の中心軸Ｘ３の傾斜角度α１は、２０〜４０°の範囲にある。第１ノズル４０の中心軸Ｘ３の好ましい傾斜角度α１は、仮想垂直線Ｘ４に対して３０°である。
【００９２】
第１給水ヘッダー３８ｂは、加湿エレメント１３の上面３０を第１上面４１と第２上面４２とに区分したときの第２上面４２の側であって、第２上面４２を前方第２上面４６と後方第２上面４７とに区分したときの、前方第２上面４６の直近かつ上方に配置されている。第１給水ヘッダー３８ｂは、前方第２上面４６の中央に位置して仮想第２二分線Ｘ５と平行し、ヘッダー３８ｂのそれら第１ノズル４０が仮想第２二分線Ｘ５に平行して交差方向へ一列に並んでいる。第１給水ヘッダー３８ｂのそれら第１ノズル４０の中心軸Ｘ３は、仮想第２二分線Ｘ５に向かって所定の角度で傾斜している。仮想垂直線Ｘ４に対するそれら第１ノズル４０の中心軸Ｘ３の傾斜角度α１は、２０〜４０°の範囲にある。第１ノズル４０の中心軸Ｘ３の好ましい傾斜角度α１は、仮想垂直線Ｘ４に対して３０°である。
【００９３】
なお、空調システム１１における第１空調運転（加湿運転）や第２空調運転は、記述のとおりであるから、図８およびその説明を援用することで、図１４の給水および供給機構１０を使用したシステム１１の第１空調運転や第２空調運転の説明は省略する。第１空調運転において、第１ノズル４０から給水された加湿水は、前方第１上面４３と前方第２上面４６に流下し、図１６に矢印で示すように、加湿エレメント１３に仮想された第１仮想二分線Ｘ２や第２仮想二分線Ｘ５に向かって進入した後、それら仮想二分線Ｘ２，Ｘ５からエレメント１３の中心部と周縁部とに向かって拡散し、加湿水がエレメント１３全域に満遍なく滲入する。
【００９４】
図１４の給水および供給機構１０は、前方第１上面４３および前方第２上面４６からエレメント１３に給水された加湿水がエレメント１３全域に拡散し、加湿水のエレメント１３における偏りを防ぐことができ、加湿水を６面立体構造物であるエレメント１３全域に満遍なく滲入させることができる。給水および供給機構１０は、第１空調運転時（加湿運転時）に加湿水を加湿エレメント１３全域に満遍なく滲入させることができるから、加湿前の空気をエレメント１３を通すことで確実に加湿することができ、十分に加湿された加湿空気を作ることができる。
【００９５】
第２供給ヘッダー３９ａは、加湿エレメント１３の上面３０を第１上面４１と第２上面４２とに区分したときの第１上面４１の側であって、第１上面４１を前方第１上面４３と後方第１上面４４とに区分したときの後方第１上面４４の直近かつ上方に配置されている。第２供給ヘッダー３９ａは、後方第１上面４４の中央に位置して仮想第１二分線Ｘ２と平行し、ヘッダー３９ａのそれら第２ノズル４５が仮想第１二分線Ｘ２に平行して交差方向へ一列に並んでいる。第２供給ヘッダー３９ａのそれら第２ノズル４５の中心軸Ｘ６は、仮想第１二分線Ｘ２に向かって所定の角度で傾斜している。仮想垂直線Ｘ４に対するそれら第２ノズル４５の中心軸Ｘ６の傾斜角度α２は、２０〜４０°の範囲にある。第２ノズル４５の中心軸Ｘ６の好ましい傾斜角度α２は、仮想垂直線Ｘ４に対して３０°である。
【００９６】
第２供給ヘッダー３９ｂは、加湿エレメント１３の上面３０を第１上面４１と第２上面４２とに区分したときの第２上面４２の側であって、第２上面４２を前方第２上面４６と後方第２上面４７とに区分したときの後方第２上面４７の直近かつ上方に配置されている。第２供給ヘッダー３９ｂは、後方第２上面４７の中央に位置して仮想第２二分線Ｘ５と平行し、ヘッダー３９ｂのそれら第２ノズル４５が仮想第２二分線Ｘ５に平行して交差方向へ一列に並んでいる。第２供給ヘッダー３９ｂのそれら第２ノズル４５の中心軸Ｘ６は、仮想第２二分線Ｘ５に向かって所定の角度で傾斜している。仮想垂直線Ｘ４に対するそれら第２ノズル４５の中心軸Ｘ６の傾斜角度α２は、２０〜４０°の範囲にある。第２ノズル４５の中心軸Ｘ６の好ましい傾斜角度α２は、仮想垂直線Ｘ４に対して３０°である。
【００９７】
なお、空調システム１１における殺菌運転は、記述のとおりであるから、図９，１０およびその説明を援用することで、図１４の給水および供給機構１０を使用したシステム１１の殺菌運転の説明は省略する。殺菌運転において、第２ノズル４５から供給された機能水は、後方第１上面４４と後方第２上面４７に流下し、図１６に矢印で示すように、加湿エレメント１３に仮想された第１仮想二分線Ｘ２や第２仮想二分線Ｘ５に向かって進入した後、それら仮想二分線Ｘ２，Ｘ５からエレメント１３の中心部と周縁部とに向かって拡散し、加湿水がエレメント１３全域に満遍なく滲入する。
【００９８】
図１４の給水および供給機構１０は、後方第１上面４４および後方第２上面４７からエレメント１３に供給された機能水がエレメント１３全域に拡散し、加湿水のエレメント１３における偏りを防ぐことができ、機能水を６面立体構造物であるエレメント１３全域に満遍なく滲入させることができる。給水および供給機構１０は、殺菌運転時に第１および第２機能水を加湿エレメント１３全域に満遍なく滲入させることができるから、エレメント１３に菌が発生（繁殖）したとしても、それら機能水を利用してエレメント１３全域を殺菌することができ、エレメント１３を清潔な状態で使用することができる。
【００９９】
図１４の給水および供給機構１０では、第１給水ヘッダー３８ａがエレメント１３の第１上面４１の前方第１上面４３の直近かつ上方に位置し、第１給水ヘッダー３８ｂがエレメント１３の第２上面４２の前方第２上面４６の直近かつ上方に位置するとともに、第２供給ヘッダー３９ａがエレメント１３の第１上面４１の後方第１上面４４の直近かつ上方に位置し、第２供給ヘッダー３９ｂがエレメント１３の第２上面４２の後方第２上面４７の直近かつ上方に位置しているが、第１給水ヘッダー３８ａがエレメント１３の第１上面４１の後方第１上面４４の直近かつ上方に位置し、第１給水ヘッダー３８ｂがエレメント１３の第２上面４２の後方第２上面４７の直近かつ上方に位置するとともに、第２供給ヘッダー３９ａがエレメント１３の第１上面４１の前方第１上面４３の直近かつ上方に位置し、第２供給ヘッダー３９ｂがエレメント１３の第２上面４２の前方第２上面４６の直近かつ上方に位置していてもよい。
【符号の説明】
【０１００】
１０    給水および供給機構
１１    空調システム
１２    空調機
１３    気化式加湿エレメント
１５    加湿水給水ライン（第１給水ライン）
１６    第１機能水供給ライン（第２供給ライン）
１７    第２機能水供給ライン（第２供給ライン）
２８    前面
２９    後面
３０    上面
３１    下面
３２    側面
３３    側面
３４    第１端縁
３５    第２端縁
３６    第１側縁
３７    第２側縁
３８    第１給水ヘッダー
３９    第２供給ヘッダー
４０    第１ノズル
４１    第１上面
４２    第２上面
４３    前方第１上面
４４    後方第１上面
４５    第２ノズル
４６    前方第２上面
４７    後方第２上面
Ｘ１    仮想中心線
Ｘ２    仮想第１二分線
Ｘ３    中心軸
Ｘ４    仮想垂直線
Ｘ５    仮想第２二分線
Ｘ６    中心軸
α１    傾斜角度
α２    傾斜角度
α３    傾斜角度
【図１】
2014119123.tif 000003
【図２】
2014119123.tif 000004
【図３】
2014119123.tif 000005
【図４】
2014119123.tif 000006
【図５】
2014119123.tif 000007
【図６】
2014119123.tif 000008
【図７】
2014119123.tif 000009
【図８】
2014119123.tif 000010
【図９】
2014119123.tif 000011
【図１０】
2014119123.tif 000012
【図１１】
2014119123.tif 000013
【図１２】
2014119123.tif 000014
【図１３】
2014119123.tif 000015
【図１４】
2014119123.tif 000016
【図１５】
2014119123.tif 000017
【図１６】
2014119123.tif 000018
【図１７】
2014119123.tif 000019